(57)【要約】      （修正有）【課題】光源としての冷陰極管を点灯させるインバータの配置による影の発生を防止して照光の均一性を保ち、かご室の照明の意匠性を高めることができるエレベータかご室の照明装置を提供する。【解決手段】エレベータのかご室の天井部に複数の光源ユニット８が配設されている。各光源ユニット８は、ベース１０と、このベース１０の表面に架設された冷陰極管１２と、ベース１０にその表面側の照光面から外れる位置に設けられたインバータ１６とで構成されている。インバータ１６がベース１０にその表面側の照光面から外れる位置に設けられているから、インバータ１６の配置による影発生を防止して照光の均一性を保ち、かご室の照明の意匠性を高めることができる。【選択図】図３
2006225071.tif 000002
【特許請求の範囲】
【請求項１】
エレベータかご室の天井部に複数の光源ユニットを配設してなるエレベータかご室の照明装置において、
前記各光源ユニットは、
ベースと、
前記ベースの表面に架設された冷陰極管と、
前記ベースに、該ベースの表面側である照光面から外れる位置に設けられた、前記冷陰極管の点灯用のインバータと、
を有することを特徴とするエレベータかご室の照明装置。
【請求項２】
前記インバータは、前記ベースの裏面に設けられていることを特徴とする請求項１に記載のエレベータかご室の照明装置。
【請求項３】
前記ベースの表面には凹部が形成され、この凹部内に前記インバータが収納され、該インバータが前記凹部の開口部を閉じるカバーで覆われていることを特徴とする請求項１に記載のエレベータかご室の照明装置。
【発明の詳細な説明】
【技術分野】
【０００１】
この発明は、エレベータのかご室内を照明するエレベータかご室の照明装置に関する。
【背景技術】
【０００２】
エレベータのかご室の天井部には照明箱が取り付けられている。この照明箱は下面に大きな開口部を有し、この開口部に光透過性の例えば合成樹脂からなる照明板が設けられている。そして照明箱内に複数の光源が設けられ、これら光源の光が前記照明板を通してかご室内に照射されてかご室内が照明される。
【０００３】
一般に、かご室の天井部に設けられる光源としては、蛍光ランプ（熱陰極管）が用いられてきた。しかしながら、蛍光ランプ（熱陰極管）はその口径が比較的大きく、また寿命が比較的短いという難点ある。
【０００４】
そこで、本出願人は、かご室の天井部に設ける光源として、冷陰極管（冷陰極蛍光ランプ）を用いることを提案している。冷陰極管は、１〜６ｍｍ程度の直径を有する細長筒状の透光性放電容器と、この放電容器の両端部に封止された一対の冷陰極と、放電容器の内面に塗布された蛍光体と、放電容器内に封入された放電媒体とを備え、陰極が加熱されることなく発光するため、点灯・消灯の回数によって寿命が左右されることがほとんどなく長寿命であり、また電圧を印加すると即点灯し、発光までの時間的な遅れがないという有利な特性をもっている。
【０００５】
図８には、冷陰極管を光源として用いたエレベータかご室の照明装置の構成を示してある。エレベータのかご室１の天井部には照明箱２が取り付けられ、この照明箱２は下面に大きな開口部３を有し、この開口部３に光透過性の例えば合成樹脂で形成された照明板４が設けられている。
【０００６】
図９には照明箱２内の光源ユニット８の配列状態を、図１０には光源ユニット８の断面構造を、図１１には光源ユニット８を分解した状態の外観をそれぞれ示してある。
【０００７】
照明箱２内に配設された各光源ユニット８は、反射板を兼ねるベース１０と、このベース１０の表面にソケット１１を介して取り付けられた光源としての一対の冷陰極管１２と、これら冷陰極管１２を覆うようにベース１０に取り付けられた透光カバー１３とを有し、ベース１０の表面の両端部には透光カバー１３を支持するカバー受け１４ａ，１４ｂが取り付けられている。
【０００８】
前記一対の冷陰極管１２は互に平行に並ぶようにカバー受け１４ａ，１４ｂ間にソケット１１を介して水平に架設されている。前記透光カバー１３は例えば光透過性の合成樹脂で形成されている。ベース１０の表面の一端部には前記冷陰極管１２を点灯させるためのインバータ１６が取り付けられている。
【０００９】
ベース１０の両端部に取り付けられたカバー受け１４ａ，１４ｂのうちの一方のカバー受け１４ａは他方のカバー受け１４ｂよりもベース１０の長手方向に沿う長さが大きく、このカバー受け１４ａにより前記インバータ１６が覆われている。すなわち、前記カバー受け１４ａはインバータ１６を保護する保護部材を兼ねている。
【００１０】
図８に示すように、かご室１の上部には電源回路２０が組み込まれている。そしてこの電源回路２０に交流電源１００Ｖが供給され、この交流電源がＡＶＲなどを用いて所定の例えば直流電圧２４Ｖに変圧されて前記インバータ１６にそれぞれ供給される。各インバータ１６は、電源回路２０から印加される直流電圧を所定の周波数の交流電圧に変換し、その変換した交流電圧を冷陰極管１２に印加し、この交流電圧の印加で冷陰極管１２が点灯する。
【００１１】
冷陰極管１２を光源として用いる光源ユニット８では、冷陰極管１２とインバータ１６とをつなぐ配線（図示せず）に対して高い電圧が印加されるために、その冷陰極管１２とインバーと１６とを互いに近接する位置に配置させてその配線の長さを極力短くすることが必要であり、このため前記光源ユニット８においては、インバータ１６をベース１０の表面に取り付けるようにしている。
【発明の開示】
【発明が解決しようとする課題】
【００１２】
ところが、ベース１０の表面にインバータ１６が取り付けられ、その部分に冷陰極管１２が延びていない状態にあると、そのインバータ１６の配置部分およびその周辺が視覚上影となって黒ずみ、その分、かご室１内に対する照光の均一性が損なわれ、かご室１の照明の意匠性が低下してしまう。
【００１３】
図９の照光方式は、かご室１の天井部の一定範囲に光源ユニット８を配設した部分照光方式であるが、図１２に示すような全面照光方式が採用される場合もある。
【００１４】
この全面照光方式は、かご室１の天井部のほぼ全域に光源ユニット８を均等的に配設してかご室１内を照光する方式であるが、特にこの場合には、各光源ユニット８における各インバータ１６の配置部分が黒ずみ部分Ａ〜Ｈとして天井部の全体に分散するように映ってしまう。
【００１５】
一般に、このような場合には、各光源ユニット８の下方に設ける照明板に光拡散機能をもたせ、その光の拡散機能で黒ずみ状の影部分をぼかし、照光の均一性を高める手段が採られるが、それでも十分な均一性は得られず、また光の拡散により照光効率が低下し、かつ光拡散機能をもつ照明板を必要とすることでコストが増してしまうという問題がある。
【００１６】
この発明はこのような点に着目してなされたもので、その目的とするところは、インバータによる黒ずみ状の影の発生を防止して照光の均一性を保ち、かご室の照明の意匠性を高めることができるエレベータかご室の照明装置を提供することにある。
【課題を解決するための手段】
【００１７】
請求項１の発明は、エレベータかご室の天井部に複数の光源ユニットを配設してなるかエレベータご室の照明装置において、前記各光源ユニットが、ベースと、前記ベースの表面に架設された冷陰極管と、前記ベースに、該ベースの表面側である照光面から外れる位置に設けられた、前記冷陰極管の点灯用のインバータとを有することを特徴としている。
【００１８】
請求項２の発明は、前記インバータが、前記ベースの裏面に設けられていることを特徴としている。
【００１９】
請求項３の発明は、前記ベースの表面に凹部が形成され、この凹部内に前記インバータが収納され、該インバータが前記凹部の開口部を閉じるカバーで覆われていることを特徴としている。
【発明の効果】
【００２０】
この発明によれば、インバータによる黒ずみ状の影の発生を防止して照光の均一性を保ち、かご室の照明の意匠性を高めることができる。
【発明を実施するための最良の形態】
【００２１】
以下、この発明の実施形態について図１ないし図７を参照して説明する。なお、従来の構成と対応する部分には同一符号を付して重複する説明を省略する。
【００２２】
図１ないし図４には第１の実施形態を示してある。
【００２３】
図１および図２に示すように、エレベータのかご室１の天井部にはその中央の一定範囲の部分に複数の光源ユニット８が並列して取り付けられている。図３には光源ユニット８の断面図を、図４には前記光源ユニット８の分解斜視図をそれぞれ示してある。
【００２４】
各光源ユニット８のベース１０の表面には、その両端部にそれぞれ長さの短いカバー受け１４ａ，１４ｂが取り付けられ、これらカバー受け１４ａ，１４ｂ間にソケット１１を介して長さの長い冷陰極管１２が架設されている。そして、ベース１０の表面側に前記カバー受け１４ａ，１４ｂを介して透光カバー１３が取り付けられ、この透光カバー１３により冷陰極管１２が覆われている。
【００２５】
冷陰極管１２が配置されたベース１０の表面側は照光面を構成するが、冷陰極管１２を前記冷陰極管１２を点灯させるインバータ１６は、その照光面から外れたベース１０の裏面（上面）に取り付けられている。そしてこのインバータ１６と冷陰極管１２とが配線（図示せず）を介して電気的に接続されている。
【００２６】
このような構成によれば、インバータ１６が照光面から外れたベース１０の裏面に設けられ、また双方のカバー受け１４ａ，１４ｂの長さが短く、その分、冷陰極管１２がベース１０の両端部にまで延びる長さとなっているため、冷陰極管１２の点灯時に、従来のようなインバータの配置による黒ずみ状の影が生じることがなく、したがってかご室１内を均一に照光でき、かご室１の照明の意匠性を高めることができる。
【００２７】
インバータ１６は、ベース１０の裏面に配置されており、したがってインバータ１６と冷陰極管１２は近接し、その接続用の高電圧が印加される配線は従来と同様に短くでき、このためノイズ等の問題が生じることがない。
【００２８】
図５および図６には第２実施形態を示してある。この実施形態においては、ベース１０の表面に矩形状の凹部１７が形成されている。そしてこの凹部１７内にインバータ１６が収納され、このインバータ１６が保護カバー１８で覆われている。
【００２９】
保護カバー１８の両端部には係合爪１８ａが突出形成され、また凹部１７の両端の内面部には係合溝１７ａが形成され、その係合爪１８ａを係合溝１７ａに嵌め込むことにより、保護カバー１８がその表面がベース１０の表面と面一となるように凹部１７に嵌着保持されている。保護カバー１８の表面の色はベース１０の表面の色と同じとなっている。
【００３０】
このような構成においても、インバータ１６が照光面から外れたベース１０の内部に配置されているから、冷陰極管１２の点灯時に、従来のようなインバータの配置による黒ずみ状の影が生じることがなく、したがってかご室１内を均一に照光でき、かご室１の照明の意匠性を高めることができる。
【００３１】
そしてインバータ１６がベース１０に形成された凹部１７内に収納されて保護カバー１８で覆われているから、そのインバータ１６を埃等から保護することができ、またインバータ１６が外部に露出しないため機械的にも保護することができる。
【００３２】
そしてこの実施形態の場合にも、インバータ１６と冷陰極管１２は近接するから、その接続用の高電圧が印加される配線を従来と同様に短くでき、ノイズ等の問題が生じることがない。
【００３３】
図７には第３の実施形態を示してある。この実施形態は、かご室１の天井部のほぼ全域に前記実施形態の場合と同様の光源ユニット８を均等的に配設してかご室１内を照光する全面照光方式の場合の例である。
【００３４】
このような全面照光方式においても、各光源ユニット８に黒ずみ状の影が生じることがないから、かご室１の天井部のほぼ全面から均一にかご室１に向けて照光することができ、したがって各光源ユニット８に対向するように、かご室１に設ける照明板に光の拡散機能をもたせて光をぼかすような手段を採るような必要がなく、単なる透光性を有する安価な照明板を採用することができ、コスト的に有利となる。
【００３５】
また、全面照光方式で均一な照光を行うことができるということは、その照光の範囲をステンレス板、鋼板、濃厚色の樹脂板等で任意に規制して照光範囲を自由に定める設計が可能となり、設計範囲が広まる利点がある。
【００３６】
ところで、エレベータのかご室内を照明する光源としては、ＬＥＤ（発光ダイオード）や有機ＥＬ（エレクトロルミネッセンス）を用いることも可能である。この場合、例えば複数の白色のＬＥＤや有機ＥＬの素子を適宜な形状のホルダ等に組み付けて棒状、リング状あるいは二次元平面状等の形態にユニット化し、そのユニットをかご室の天井の照明箱内に組み込むことが可能である。なお、１個のＬＥＤや有機ＥＬの素子を用いて棒状、リング状あるいは二次元平面状等に構成することも可能である。
【００３７】
照明箱内には、光源としてＬＥＤのみを組み込む場合であっても、有機ＥＬのみを組み込む場合であっても、あるいはＬＥＤと有機ＥＬとを適数ずつ組み合わせて組み込む場合であってもよい。
【００３８】
ＬＥＤや有機ＥＬは白色のものを用いる場合のほか、周囲環境、光量、使用時間帯、使用季節等に応じて他の色のものを用いることも可能であり、また複数の色のＬＥＤや有機ＥＬを混在させることも可能である。さらに、光源としてＬＥＤや有機ＥＬと併せて冷陰極管を照明箱内に組み込んでかご室照明装置として構成することも可能である。
【００３９】
なお、ＬＥＤや有機ＥＬを発光させる手段としては、従来一般に使用されている駆動制御装置を用いることは言うまでもない。
【図面の簡単な説明】
【００４０】
【図１】この発明の第１の実施形態に係る照明装置の構成図。
【図２】その照明装置を下から見た平面図。
【図３】その照明装置における光源ユニットの断面図。
【図４】その光源ユニットの分解状態の斜視図。
【図５】この発明の第２の実施形態に係る照明装置における光源ユニットの断面図。
【図６】その光源ユニットの分解状態の斜視図。
【図７】この発明の第３の実施形態に係る照明装置を下から見た平面図。
【図８】従来の照明装置の構成図。
【図９】その照明装置を下から見た平面図。
【図１０】その照明装置における光源ユニットの断面図。
【図１１】その光源ユニットの分解状態の斜視図。
【図１２】従来の全面照光方式の照明装置を下から見た平面図。
【符号の説明】
【００４１】
１…かご室
８…光源ユニット
１０…ベース
１１…ソケット
１２…冷陰極管
１３…透光カバー
１６…インバータ
１７…凹部
１７ａ…係合溝
１８…保護カバー
１８ａ…係合爪
２０…電源回路
【図１】
2006225071.tif 000003
【図２】
2006225071.tif 000004
【図３】
2006225071.tif 000005
【図４】
2006225071.tif 000006
【図５】
2006225071.tif 000007
【図６】
2006225071.tif 000008
【図７】
2006225071.tif 000009
【図８】
2006225071.tif 000010
【図９】
2006225071.tif 000011
【図１０】
2006225071.tif 000012
【図１１】
2006225071.tif 000013
【図１２】
2006225071.tif 000014